(57)【特許請求の範囲】
【請求項１】
被監視機器から定期的に取得した運転状態を示す運転情報等の各種情報を更新させながら記憶するメモリを備え、
前記メモリに更新されて記憶された運転情報等の各種情報に基づいて前記被監視機器の異常の発生を検知したときに、前記メモリへの運転情報等の各種情報の更新を中止し、中央監視装置へ発呼し、この中央監視装置に前記メモリに格納されている上記被監視機器の異常発生時の運転情報等の各種情報を収集可能とさせると共に、
上記中央監視装置が、異常時における上記被監視機器の全ての運転情報を読み込んだときに送信する読み込み完了指示信号を受信する前に、この中央監視装置との通信が切断された場合、上記被監視機器の上記異常時における全ての運転情報を保持しつつ、上記中央監視装置へ再度発呼し、
前記読み込み完了指示信号を受信した場合に、前記メモリへの運転情報等の各種情報の更新を再開する機能を備えたことを特徴とする遠隔監視装置。
【請求項２】
複数台の被監視機器のそれぞれから定期的に取得した運転状態を示す運転情報等の各種情報を更新させながら記憶するメモリを備え、
前記メモリに更新されて記憶された運転情報等の各種情報に基づいて前記被監視機器のそれぞれの異常の発生を検知したときに、前記メモリへの運転情報等の各種情報の更新を中止し、中央監視装置へ発呼し、この中央監視装置に前記メモリに格納されている上記被監視機器の異常発生時の運転情報等の各種情報を収集可能とさせると共に、
上記中央監視装置が、異常を発生した複数台の被監視機器のそれぞれについて、上記異常時における全ての運転情報を読み込んだときにそれぞれ個別に送信する読み込み完了指示信号を全て受信する前に、この中央監視装置との通信が切断された場合、上記被監視機器の上記異常時における複数台の上記被監視機器の全ての運転情報を保持しつつ、上記中央監視装置へ再度発呼し、
前記読み込み完了指示信号を受信した場合に、前記メモリへの運転情報等の各種情報の更新を再開する機能を備えたことを特徴とする遠隔監視装置。
【請求項３】
異常を発生した複数台の被監視機器のうち、どの被監視機器に関する読み込み完了指示信号を中央監視装置から受信していないかを示す情報を、上記中央監視装置からの要求に応じて、この中央監視装置へ送信する機能を備えたことを特徴とする請求項２に記載の遠隔監視装置。
【請求項４】
上記中央監視装置から、異常を発生した全ての被監視機器に対する読み込み完了指示信号を受信する前であっても、自身の操作によって上記中央監視装置との通信を切断させた場合には、上記中央監視装置へ再度発呼しないよう構成されたことを特徴とする請求項１乃至３のいずれかに記載の遠隔監視装置。
【請求項５】
上記被監視機器が冷凍機であることを特徴とする請求項１乃至４のいずれかに記載の遠隔監視装置。
【請求項６】
被監視機器の運転状態を監視する遠隔監視装置と、この遠隔監視装置から上記被監視機器の運転状態を示す運転情報等の各種情報を収集して、この被監視機器を監視し制御する中央監視装置とを備えた遠隔監視システムにおいて、
前記遠隔監視装置は、
前記被監視機器から定期的に取得した運転状態を示す運転情報等の各種情報を更新させながら記憶するメモリを備え、
前記メモリに更新されて記憶された運転情報等の各種情報に基づいて前記被監視機器の異常の発生を検知したときに、前記メモリへの運転情報等の各種情報の更新を中止し、前記中央監視装置へ発呼し、この中央監視装置に前記メモリに格納されている上記被監視機器の異常発生時の運転情報等の各種情報を収集可能とさせると共に、
上記中央監視装置が、異常時における上記被監視機器の全ての運転情報を読み込んだときに送信する読み込み完了指示信号を受信する前に、この中央監視装置との通信が切断された場合、上記被監視機器の上記異常時における全ての運転情報を保持しつつ、上記中央監視装置へ再度発呼し、この中央監視装置が、上記被監視機器の上記異常時における全ての運転情報を読み込むよう構成され、
前記読み込み完了指示信号を受信した場合に、前記メモリへの運転情報等の各種情報の更新を再開する機能を備えたことを特徴とする遠隔監視システム。
【請求項７】
複数台の被監視機器の運転状態を監視する遠隔監視装置と、この遠隔監視装置から上記被監視機器のそれぞれの運転状態を示す運転情報等の各種情報を収集して、この被監視機器を監視し制御する中央監視装置とを備えた遠隔監視システムにおいて、
前記遠隔監視装置は、
複数台の前記被監視機器のそれぞれから定期的に取得した運転状態を示す運転情報等の各種情報を更新させながら記憶するメモリを備え、
前記メモリに更新されて記憶された運転情報等の各種情報に基づいて前記被監視機器のそれぞれの異常の発生を検知したときに、前記メモリへの運転情報等の各種情報の更新を中止し、前記中央監視装置へ発呼し、この中央監視装置に前記メモリに格納されている上記被監視機器の異常発生時の運転情報等の各種情報を収集可能とさせると共に、
上記中央監視装置が、異常を発生した複数台の被監視機器のそれぞれについて、上記異常時における全ての運転情報を読み込んだときにそれぞれ個別に送信する読み込み完了指示信号を全て受信する前に、この中央監視装置との通信が切断された場合、上記被監視機器の上記異常時における複数台の上記被監視機器の全ての運転情報を保持しつつ、上記中央監視装置へ再度発呼し、この中央監視装置が、上記被監視機器の上記異常時における全ての運転情報を読み込むよう構成され、
前記読み込み完了指示信号を受信した場合に、前記メモリへの運転情報等の各種情報の更新を再開する機能を備えたことを特徴とする遠隔監視システム。
【請求項８】
上記遠隔監視装置は、異常を発生した複数台の被監視機器のうち、どの被監視機器に関する読み込み完了指示信号を中央監視装置から受信していないかを示す情報を、上記中央監視装置からの要求に応じて、この中央監視装置へ送信する機能を備えたことを特徴とする請求項７に記載の遠隔監視システム。
【請求項９】
上記遠隔監視装置は、異常を発生した全ての被監視機器に対する読み込み完了指示信号を中央監視装置から受信する前であっても、自身の操作によって上記中央監視装置との通信を切断させた場合には、上記中央監視装置へ再度発呼しないよう構成されたことを特徴とする請求項６乃至８のいずれかに記載の遠隔監視システム。
【請求項１０】
上記被監視機器が冷凍機であることを特徴とする請求項６乃至９のいずれかに記載の遠隔監視システム。
【発明の詳細な説明】
【０００１】
【発明の属する技術分野】
本発明は、吸収式冷温水機、ガスヒートポンプ式空気調和装置及びヒートポンプ式空気調和装置等の被監視機器としての冷凍機（即ち空気調和装置）を監視する遠隔監視装置、及びこの遠隔監視装置を備えた遠隔監視システムに関する。
【０００２】
【従来の技術】
吸収式冷温水機、ガスエンジンにより圧縮機が駆動されるガスヒートポンプ式空気調和装置、電動機により圧縮機が駆動されるヒートポンプ式空気調和装置等の複数台の冷凍機（即ち空気調和装置）は、遠隔監視装置により監視されると共に、遠隔地の中央監視装置としての監視センターによっても監視され制御されるものがある。
【０００３】
上記遠隔監視装置の主な機能の一つとして、複数台の冷凍機の運転状態を監視し、異常発生などを検知した場合に、端末発呼動作により通信回線経由で監視センターを呼び出し、その異常を発生した冷凍機の運転情報などを監視センターへ送信するものがある。
【０００４】
遠隔監視装置が冷凍機から得た運転情報を、監視センターが上記通信回線経由で読み込み中に、例えば通信異常などによって回線が切断され、監視センターによる上記運転情報の読み込みが中断した場合、この監視センターは、それまでに通信回線を用いて読み込んだ情報のほとんどを無効とし破棄していた。
【０００５】
【発明が解決しようとする課題】
これまでの遠隔監視装置では、冷凍機の運転情報が監視センターにより全て読み込まれるか否かに拘わらず、冷凍機が再度発生した異常を検知するまでは、端末発呼によって監視センターを呼び出すことはない。このため、監視センターは、通信異常等により運転情報の読み込みが途中で切断された時には、その運転情報を二度と得ることができず、情報の欠落を抱えたままとなってしまう。
【０００６】
一方、上述のような読み込みが途中切断された場合に、逆に監視センター側から遠隔監視装置を呼び出して、冷凍機の運転情報を再度読み込むようなシステムも考えられる。しかし、監視センターとの通信を切断した遠隔監視装置は、冷凍機から新たな情報を読み込んで運転情報を更新していることが多いので、冷凍機の異常発生時における運転情報を既に消失していると考えなければならない。しかも、このシステムでは、監視センターのプログラムが複雑になり、妥当性を欠く。
【０００７】
他方、監視センターが、異常時における冷凍機の運転情報のうち特定のもの（例えば異常原因に関する情報）を読み込んでいない場合にのみ、遠隔監視装置へ再発呼し、監視センターが上記特定の情報を読み込んだ場合には、遠隔監視装置へ再発呼しないとするシステムも考えられる。しかし、遠隔監視装置が冷凍機から得た情報は、各冷凍機毎の一連の情報がそろって有効なものであり、一部分でも欠けると、その運転情報を有効に利用できないことがある。
【０００８】
本発明の目的は、上述の事情を考慮してなされたものであり、中央監視装置が、遠隔監視装置に格納された被監視機器の運転情報を、この遠隔監視装置との通信が切断された場合であっても全て収集することができる遠隔監視装置、及びこの遠隔監視装置を備えた遠隔監視システムを提供することにある。
【０００９】
【課題を解決するための手段】
請求項１に記載の発明は、被監視機器から定期的に取得した運転状態を示す運転情報等の各種情報を更新させながら記憶するメモリを備え、前記メモリに更新されて記憶された運転情報等の各種情報に基づいて前記被監視機器の異常の発生を検知したときに、前記メモリへの運転情報等の各種情報の更新を中止し、中央監視装置へ発呼し、この中央監視装置に前記メモリに格納されている上記被監視機器の異常発生時の運転情報等の各種情報を収集可能とさせると共に、上記中央監視装置が、異常時における上記被監視機器の全ての運転情報を読み込んだときに送信する読み込み完了指示信号を受信する前に、この中央監視装置との通信が切断された場合、上記被監視機器の上記異常時における全ての運転情報を保持しつつ、上記中央監視装置へ再度発呼し、前記読み込み完了指示信号を受信した場合に、前記メモリへの運転情報等の各種情報の更新を再開する機能を備えたことを特徴とするものである。
【００１０】
請求項２に記載の発明は、複数台の被監視機器のそれぞれから定期的に取得した運転状態を示す運転情報等の各種情報を更新させながら記憶するメモリを備え、前記メモリに更新されて記憶された運転情報等の各種情報に基づいて前記被監視機器のそれぞれの異常の発生を検知したときに、前記メモリへの運転情報等の各種情報の更新を中止し、中央監視装置へ発呼し、この中央監視装置に前記メモリに格納されている上記被監視機器の異常発生時の運転情報等の各種情報を収集可能とさせると共に、上記中央監視装置が、異常を発生した複数台の被監視機器のそれぞれについて、上記異常時における全ての運転情報を読み込んだときにそれぞれ個別に送信する読み込み完了指示信号を全て受信する前に、この中央監視装置との通信が切断された場合、上記被監視機器の上記異常時における複数台の上記被監視機器の全ての運転情報を保持しつつ、上記中央監視装置へ再度発呼し、前記読み込み完了指示信号を受信した場合に、前記メモリへの運転情報等の各種情報の更新を再開する機能を備えたことを特徴とするものである。
【００１１】
請求項３に記載の発明は、請求項２に記載の発明において、異常を発生した複数台の被監視機器のうち、どの被監視機器に関する読み込み完了指示信号を中央監視装置から受信していないかを示す情報を、上記中央監視装置からの要求に応じて、この中央監視装置へ送信する機能を備えたことを特徴とするものである。
【００１２】
請求項４に記載の発明は、請求項１乃至３のいずれかに記載の発明において、上記中央監視装置から、異常を発生した全ての被監視機器に対する読み込み完了指示信号を受信する前であっても、自身の操作によって上記中央監視装置との通信を切断させた場合には、上記中央監視装置へ再度発呼しないよう構成されたことを特徴とするものである。
【００１３】
請求項５に記載の発明は、請求項１乃至４のいずれかに記載の発明において、上記被監視機器が冷凍機であることを特徴とするものである。
【００１４】
請求項６に記載の発明は、被監視機器の運転状態を監視する遠隔監視装置と、この遠隔監視装置から上記被監視機器の運転状態を示す運転情報等の各種情報を収集して、この被監視機器を監視し制御する中央監視装置とを備えた遠隔監視システムにおいて、前記遠隔監視装置は、前記被監視機器から定期的に取得した運転状態を示す運転情報等の各種情報を更新させながら記憶するメモリを備え、前記メモリに更新されて記憶された運転情報等の各種情報に基づいて前記被監視機器の異常の発生を検知したときに、前記メモリへの運転情報等の各種情報の更新を中止し、前記中央監視装置へ発呼し、この中央監視装置に前記メモリに格納されている上記被監視機器の異常発生時の運転情報等の各種情報を収集可能とさせると共に、上記中央監視装置が、異常時における上記被監視機器の全ての運転情報を読み込んだときに送信する読み込み完了指示信号を受信する前に、この中央監視装置との通信が切断された場合、上記被監視機器の上記異常時における全ての運転情報を保持しつつ、上記中央監視装置へ再度発呼し、この中央監視装置が、上記被監視機器の上記異常時における全ての運転情報を読み込むよう構成され、前記読み込み完了指示信号を受信した場合に、前記メモリへの運転情報等の各種情報の更新を再開する機能を備えたことを特徴とするものである。
【００１５】
請求項７に記載の発明は、複数台の被監視機器の運転状態を監視する遠隔監視装置と、この遠隔監視装置から上記被監視機器のそれぞれの運転状態を示す運転情報等の各種情報を収集して、この被監視機器を監視し制御する中央監視装置とを備えた遠隔監視システムにおいて、前記遠隔監視装置は、複数台の前記被監視機器のそれぞれから定期的に取得した運転状態を示す運転情報等の各種情報を更新させながら記憶するメモリを備え、前記メモリに更新されて記憶された運転情報等の各種情報に基づいて前記被監視機器のそれぞれの異常の発生を検知したときに、前記メモリへの運転情報等の各種情報の更新を中止し、前記中央監視装置へ発呼し、この中央監視装置に前記メモリに格納されている上記被監視機器の異常発生時の運転情報等の各種情報を収集可能とさせると共に、上記中央監視装置が、異常を発生した複数台の被監視機器のそれぞれについて、上記異常時における全ての運転情報を読み込んだときにそれぞれ個別に送信する読み込み完了指示信号を全て受信する前に、この中央監視装置との通信が切断された場合、上記被監視機器の上記異常時における複数台の上記被監視機器の全ての運転情報を保持しつつ、上記中央監視装置へ再度発呼し、この中央監視装置が、上記被監視機器の上記異常時における全ての運転情報を読み込むよう構成され、前記読み込み完了指示信号を受信した場合に、前記メモリへの運転情報等の各種情報の更新を再開する機能を備えたことを特徴とするものである。
【００１６】
請求項８に記載の発明は、請求項７に記載の発明において、上記遠隔監視装置は、異常を発生した複数台の被監視機器のうち、どの被監視機器に関する読み込み完了指示信号を中央監視装置から受信していないかを示す情報を、上記中央監視装置からの要求に応じて、この中央監視装置へ送信する機能を備えたことを特徴とするものである。
【００１７】
請求項９に記載の発明は、請求項６乃至８のいずれかに記載の発明において、上記遠隔監視装置は、異常を発生した全ての被監視機器に対する読み込み完了指示信号を中央監視装置から受信する前であっても、自身の操作によって上記中央監視装置との通信を切断させた場合には、上記中央監視装置へ再度発呼しないよう構成されたことを特徴とするものである。
【００１８】
請求項１０に記載の発明は、請求項６乃至９のいずれかに記載の発明において、上記被監視機器が冷凍機であることを特徴とするものである。
【００１９】
請求項１、５、６または１０に記載の発明には、次の作用がある。
【００２０】
中央監視装置が、異常時における被監視機器の運転情報を全て読み込んだときに送信する読み込み完了指示信号を、遠隔監視装置が受信する前に、これらの遠隔監視装置と中央監視装置との通信が切断された場合、遠隔監視装置が上記異常時における被監視機器の全ての運転情報を保持しつつ、中央監視装置へ再度発呼することから、この中央監視装置は、上記異常時における被監視機器の全ての運転情報を、遠隔監視装置との通信が切断された場合であっても全て収集することができる。
【００２１】
請求項２または７に記載の発明には、次の作用がある。
【００２２】
中央監視装置から送信される読み込み完了指示信号が、異常を発生した被監視機器ごと個別に送信されることから、遠隔監視装置は、これらの読み込み完了指示信号を中央監視装置から受信することによって、異常を発生したどの被監視機器の運転情報を中央監視装置が未だ読み込んでいないかを知ることができ、このため、読み込み未完了の被監視機器を表す情報を中央監視装置へ送信することができる。
【００２３】
請求項３または８に記載の発明には、次の作用がある。
【００２４】
中央監視装置は、異常を発生した被監視機器のうち、どの被監視機器に関する読み込み完了指示信号を遠隔監視装置が受信していないかを示す情報を上記遠隔監視装置から受信できるので、この情報に基づき、未だ読み込んでいない被監視機器における全ての運転情報を、迅速かつ確実に遠隔監視装置から収集することができる。
【００２５】
請求項４または９に記載の発明には、次の作用がある。
【００２６】
遠隔監視装置は、異常を発生した全ての被監視機器に対する読み込み完了指示信号を中央監視装置から受信する前であっても、自身の操作によって中央監視装置との通信を切断させた場合には、中央監視装置へ再度発呼しないことから、遠隔監視装置が誤って異常を検知した場合や、その他の場合に、遠隔監視装置を含めた遠隔監視システムによる異常時の動作を途中で取り消すことができる。このため、遠隔監視装置及び遠隔監視システムの使い勝手を向上させることができる。
【００２７】
【発明の実施の形態】
以下、本発明の実施の形態を、図面に基づき説明する。
【００２８】
図１は、本発明に係る遠隔監視システムの一実施の形態を示す系統図である。
【００２９】
この図１に示す遠隔監視システム１０は、複数台の被監視機器としての空気調和装置１１、１２及び１３のそれぞれの運転情報を遠隔監視装置１４が定期的に監視し、これらの空気調和装置１１、１２、１３に異常が発生したことを遠隔監視装置１４が検知した時に、この遠隔監視装置１４が中央監視装置１５へ通信回線１６を経由して発呼し、これにより、中央監視装置１５が遠隔監視装置１４を介して、異常を発生した空気調和装置１１、１２、１３の運転情報等の各種の情報を収集し、これらの空気調和装置１１、１２、１３を集中制御するものである。
【００３０】
空気調和装置１１、１２及び１３は、いずれも、室外機１７と室内機１８とが冷媒配管１９により連結されると共に、通信回線２０により相互に接続される。これらの室内機１８は、リモートコントローラ２１に有線または無線状態で接続されている。
【００３１】
遠隔監視装置１４は、通信回線３１を介して空気調和装置１１、１２及び１３に接続されるとともに、モデム２２を介して通信回線１６に接続される。中央監視装置１５は、モデム２３及びホストコンピュータ２４を有して構成され、このモデム２３が通信回線１６に接続される。従って、中央監視装置１５のホストコンピュータ２４と遠隔監視装置１４とは、モデム２３、通信回線１６及びモデム２２を用いて双方向に通信可能に構成される。ここで、通信回線１６は、本実施の形態では一般の電話回線が利用されるが、他の回線、例えばＬＡＮ（Ｌｏｃａｌ  Ａｒｅａ  Ｎｅｔｗｏｒｋ）に使用される回線であってもよい。
【００３２】
上記遠隔監視装置１４は、図２に示すように、通信回線インタフェース２５、２６、設定スイッチ２７、揮発性メモリ２８、不揮発性メモリ２９及びＣＰＵ（中央処理装置）３０を有して構成される。
【００３３】
通信回線インタフェース２５は、中央監視装置１５におけるホストコンピュータ２４用のインタフェースであり、また通信回線インタフェース２６は、空気調和装置１１、１２、１３用のインタフェースである。設定スイッチ２７は、遠隔監視装置１４の通信上のアドレス番号等を設定するものである。
【００３４】
また、揮発性メモリ２８は、空気調和装置１１、１２、１３からの運転情報等を一時的に記憶する。更に、この揮発性メモリ２８には、異常を発生した複数台の空気調和装置１１、１２、１３のそれぞれについて、中央監視装置１５による読み込み未完了の空気調和装置を表す情報（後述）がフラグとして用意されている。このフラグは、各空気調和装置１１、１２、１３のそれぞれについて異常が発生した時にセットされ、中央監視装置１５からの読み込み完了指示信号ｂ（後述）を空気調和装置１１、１２、１３毎に遠隔監視装置１４が受信した時にリセットされる。
【００３５】
ここで、中央監視装置１５から遠隔監視装置１４へ送信される信号は、空気調和装置毎の運転情報要求信号ａ、空気調和装置毎の読み込み完了指示信号ｂ、通信終了指示信号ｃ、読み込み未完了の空気調和装置を表す情報要求信号ｄ等を有する。
【００３６】
上述の空気調和装置毎の運転情報要求信号ａは、中央監視装置１５が指定した空気調和装置１１、１２、１３の運転情報を送信するよう遠隔監視装置１４へ要求する信号であり、情報量が多い時には複数回に分割して送信される場合がある。この空気調和装置毎の運転情報の中には、検知された異常などの詳細を示す異常検知情報や、その異常を発生した時の空気調和装置１１、１２、１３の運転状態を示す運転状態情報などがある。
【００３７】
上述の空気調和装置毎の読み込み完了指示信号ｂは、異常を発生した空気調和装置１１、１２、１３のそれぞれについて、異常発生時における全ての運転情報を中央監視装置１５が読み込んだ時に、その異常を発生した空気調和装置１１、１２、１３毎個別に遠隔監視装置１４へ送信されるものである。
【００３８】
上記通信終了指示信号ｃは、中央監視装置１５と遠隔監視装置１４との通信回線１６を切断するように遠隔監視装置１４へ促す信号である。この通信終了指示信号ｃは、例えば、異常を発生した空気調和装置１１、１２、１３の全てについて中央監視装置１５が読み込み完了指示信号ｂを送信した場合、即ち中央監視装置１５による読み込み未完了の空気調和装置を表す情報（後述）が無しとなった場合に送信される。
【００３９】
上記読み込み未完了の空気調和装置を表す情報要求信号ｄは、異常検知などで遠隔監視装置１４が中央監視装置１５へ発呼する原因を持っている空気調和装置１１、１２、１３であって、その異常発生時における運転情報が中央監視装置１５によって全て読み込まれていない空気調和装置１１、１２、１３を指定（特定）する情報を、中央監視装置１５へ送信するよう遠隔監視装置１４に対し要求する信号である。つまり、この読み込み未完了の空気調和装置を表す情報要求信号ｄは、異常を発生した空気調和装置１１、１２、１３のうち、どの空気調和装置に関する読み込み完了指示信号ｂを遠隔監視装置１４が中央監視装置１５から未だ受信していないかを示す、中央監視装置１５による読み込み未完了の空気調和装置を表す情報を、遠隔監視装置１４に対し要求する信号である。この読み込み未完了の空気調和装置を表す情報は、遠隔監視装置１４の揮発性メモリ２８にフラグとして用意され、異常を発生した全ての空気調和装置１１、１２、１３について、遠隔監視装置１４が中央監視装置１５から読み込み完了指示信号ｂを受信した時に無しとなる。
【００４０】
ところで、遠隔監視装置１４の前記不揮発性メモリ２９（図２）は、遠隔監視システム１０の起動時に調査した空気調和装置１１、１２、１３及び遠隔監視装置１４等の存在や構成等を記憶する。この不揮発性メモリ２９は、遠隔監視装置１４への電源が遮断されても記憶を保持することから、電源が投入される度に、空気調和装置１１、１２、１３及び遠隔監視装置１４の存在や構成を調査する必要がない。
【００４１】
また、図１及び図３に示すように、遠隔監視装置１４の前記ＣＰＵ（中央処理装置）３０は、通信回線インタフェース２５及び通信回線１６を介して中央監視装置１５との通信を実行可能とし、通信回線インタフェース２６及び通信回線３１を介して空気調和装置１１、１２、１３との通信を実行する。
【００４２】
つまり、このＣＰＵ（中央処理装置）３０は、空気調和装置１１、１２、１３と定期的に通信を実行して、これらの空気調和装置１１、１２、１３の運転情報を読み込み、これらの運転情報を揮発性メモリ２８に記憶する。そして、このＣＰＵ（中央処理装置）３０は、揮発性メモリ２８に記憶された空気調和装置１１、１２、１３の運転情報に異常があるか否かを判断し、異常の発生を検知した時に、空気調和装置１１、１２、１３毎に揮発性メモリ２８のフラグをセットすると共に、中央監視装置１５へ発呼（端末発呼）する。
【００４３】
この遠隔監視装置１４のＣＰＵ（中央処理装置）３０は、更に、上述の異常検知による発呼後は、異常を発生した全ての空気調和装置１１、１２及び１３に関する読み込み完了指示信号ｂを中央監視装置１５から受信するまでは、空気調和装置１１、１２及び１３からの運転情報を読み込まず、揮発性メモリ２８に記憶させる空気調和装置１１、１２、１３に関する運転情報の更新を中止する。
【００４４】
そして、この遠隔監視装置１４のＣＰＵ（中央処理装置）３０は、異常を発生した空気調和装置１１、１２、１３のそれぞれについて、中央監視装置１５が、異常時における全ての運転情報を読み込んだ時にそれぞれ個別に送信する読み込み完了指示信号ｂを全て受信する前に、遠隔監視装置１４と中央監視装置１５との通信回線１６を経由しての通信が切断された場合、前述の如く上記異常発生時における空気調和装置１１、１２、１３の全ての運転情報を、揮発性メモリ２８に更新させることなく保持させつつ、中央監視装置１５へ再発呼する機能を有する。従って、中央監視装置１５は、この再発呼後に、空気調和装置１１、１２、１３の上記異常発生時における全ての運転情報を、遠隔監視装置１４の揮発性メモリ２８から読み取ることが可能となる。
【００４５】
また、遠隔監視装置１４のＣＰＵ（中央処理装置）３０は、異常を発生した空気調和装置１１、１２、１３のうち、どの空気調和装置に関する読み込み完了指示信号ｂを中央監視装置１５から受信していないかを、この中央監視装置１５からの要求に応じて、この中央監視装置１５へ送信する機能を有する。このＣＰＵ（中央処理装置）３０は、中央監視装置１５から読み込み完了指示信号ｂを受信した時に、この読み込み完了指示信号ｂに対応する空気調和装置１１、１２、１３毎個別に、揮発性メモリ２８のフラグをリセットする。
【００４６】
更に、ＣＰＵ（中央処理装置）３０は、異常を発生した全ての空気調和装置１１、１２及び１３に対する読み込み完了指示信号ｂを中央監視装置１５から受信する前であっても、自身の操作によって、遠隔監視装置１４と中央監視装置１５との通信回線１６による通信を切断した場合には、中央監視装置１５へ再発呼しないよう構成される。
【００４７】
次に、遠隔監視装置１４が実行する空気調和装置の異常検出時における動作を、図４のフローチャートに基づき説明する。
【００４８】
遠隔監視装置１４のＣＰＵ（中央処理装置）３０は、空気調和装置１１、１２、１３の運転状態を監視し（Ｓ１）、この空気調和装置１１、１２、１３の運転情報を定期的に読み込んで、その運転情報を揮発性メモリ２８に更新させながら記憶させる。
【００４９】
上記ＣＰＵ（中央処理装置）３０は、上記運転情報から、空気調和装置１１、１２、１３が異常を発生しているか否かを検知し（Ｓ２）、異常を発生した空気調和装置１１、１２、１３に対応して、揮発性メモリ２８のフラグをセットする（Ｓ３）。異常を発生した空気調和装置１１、１２、１３が複数ある場合には、複数のフラグをセットする。
【００５０】
上記ＣＰＵ（中央処理装置）３０は、上記フラグがセットされているか否かを判断し（Ｓ４）、全ての空気調和装置１１、１２及び１３に対応するフラグがセットされていなければ、つまりフラグがリセットされていれば、すべての空気調和装置１１、１２及び１３について異常が発生していないので、ステップＳ１へ戻る。
【００５１】
上記ＣＰＵ（中央処理装置）３０は、ステップＳ４にて少なくとも１台の空気調和装置１１、１２、１３に異常が検知された時に、予め設定された方法、例えば一般の電話回線を使う場合にはダイヤルを操作して中央監視装置１５へ発呼し、通信回線１６を用いた通信を実行する（Ｓ５）。
【００５２】
上記ＣＰＵ（中央処理装置）３０は、当該遠隔監視装置１４の操作で中央監視装置１５との通信を中止する必要がある場合には（Ｓ６）、通信回線１６による通信を中止する（Ｓ７）。
【００５３】
上記ＣＰＵ（中央処理装置）３０は、ステップＳ６において、中央監視装置１５との通信を中止する操作がない場合には、中央監視装置１５からの空気調和装置毎の運転情報要求信号ａ、空気調和装置毎の読み込み完了指示信号ｂ、通信終了指示信号ｃ、読み込み未完了の空気調和装置を表す情報要求信号ｄのいずれかの信号を待つ（Ｓ８）。
【００５４】
上記ＣＰＵ（中央処理装置）３０は、ステップＳ５において中央監視装置１５へ発呼した後、一定時間中央監視装置１５から何の信号も送信されてこなかった時には、タイムアウトとして（Ｓ９）、通信回線１６による中央監視装置１５との通信を切断する（Ｓ１０）。
【００５５】
このときには、上記ＣＰＵ（中央処理装置）３０は、遠隔監視装置１４の揮発性メモリ２８にフラグがセットされているか否かを判断し（Ｓ４）、セットされている場合には中央監視装置１５へ再度発呼する（Ｓ５）。フラグがセットされていない場合には最初に戻る（Ｓ１）。
【００５６】
上記ＣＰＵ（中央処理装置）３０は、ステップＳ５において中央監視装置１５へ発呼した後に、通信異常などの何らかの理由により、通信回線１６による通信が切断されてしまったか否かを判断し（Ｓ１１）、この通信回線１６による通信が切断された場合にも、遠隔監視装置１４の揮発性メモリ２８にフラグがセットされているか否かを判断し（Ｓ４）、フラグがセットされている場合に、中央監視装置１５へ再発呼する（Ｓ５）。フラグがセットされていない場合には最初に戻る（Ｓ１）。
【００５７】
上記ステップＳ８において、中央監視装置１５から空気調和装置毎の運転情報要求信号ａ、または読み込み未完了の空気調和装置を表す情報要求信号ｄが遠隔監視装置１４へ送信された場合には、遠隔監視装置１４のＣＰＵ（中央処理装置）３０は、これらの要求された情報を中央監視装置１５へ送信し（Ｓ１２）、その後、中央監視装置１５からの次の信号を待つ（Ｓ８）。
【００５８】
ステップＳ８において、空気調和装置１１、１２、１３のいずれかについての読み込み完了指示信号ｂが中央監視装置１５から遠隔監視装置１４へ送信された場合には（Ｓ１３）、遠隔監視装置１４のＣＰＵ（中央処理装置）３０は、揮発性メモリ２８において、この読み込み完了指示信号ｂに対応する空気調和装置１１、１２、１３のフラグをリセットし（Ｓ１４）、その後、中央監視装置１５からの次の信号を待つ（Ｓ８）。
【００５９】
ステップＳ８において、中央監視装置１５から遠隔監視装置１４へ通信終了指示信号ｃが送信された場合には（Ｓ１５）、遠隔監視装置１４のＣＰＵ（中央処理装置）３０は、通信回線１６を切断した後（Ｓ１０）、揮発性メモリ２８にフラグがセットされている場合に中央監視装置１５へ再発呼する（Ｓ５）。このとき、フラグがセットされていない場合には、遠隔監視装置１４のＣＰＵ（中央処理装置）３０は最初に戻る（Ｓ１）。
【００６０】
上述のように構成されたことから、本実施の形態によれば、次の効果▲１▼〜▲４▼を奏する。
【００６１】
▲１▼中央監視装置１５が、異常時における空気調和装置１１、１２、１３の運転情報を全て読み込んだ時に送信する読み込み完了指示信号ｂを、遠隔監視装置１４が受信する前に、これらの遠隔監視装置１４と中央監視装置１５との通信回線１６を介しての通信が切断された場合、遠隔監視装置１４が、上記異常時における空気調和装置１１、１２、１３の全ての運転情報を揮発性メモリ２８に保持しつつ、中央監視装置１５へ再度発呼することから、この中央監視装置１５は、上記異常時における空気調和装置１１、１２、１３の全ての運転情報を、遠隔監視装置１４との上記通信が切断された場合であっても、その後、揮発性メモリ２８から全て収集することができる。
【００６２】
▲２▼中央監視装置１５から送信される読み込み完了指示信号ｂが、異常を発生した空気調和装置１１、１２、１３毎個別に送信されることから、遠隔監視装置１４は、これらの読み込み完了指示信号ｂを中央監視装置１５から受信することによって、異常を発生したどの空気調和装置の運転情報を中央監視装置１５が未だ読み込んでいないかを知ることができる。このため、中央監視装置１５からの読み込み未完了の空気調和装置を表す情報要求信号ｄに応じて、読み込み未完了の空気調和装置を表す情報を中央監視装置１５へ送信することができる。
【００６３】
▲３▼中央監視装置１５は、異常を発生した空気調和装置１１、１２、１３のうち、どの空気調和装置に関する読み込み完了指示信号ｂを遠隔監視装置１４が受信していないかを示す、中央監視装置１５による読み込み未完了の空気調和装置を示す情報を遠隔監視装置１４から受信できるので、この情報に基づき、未だ読み込んでいない空気調和装置１１、１２、１３における全ての運転情報を、迅速且つ確実に遠隔監視装置１４から収集することができる。
【００６４】
▲４▼遠隔監視装置１４は、異常を発生した全ての空気調和装置１１、１２、１３に対する読み込み完了指示信号ｂを中央監視装置１５から受信する前であっても、自身の操作によって中央監視装置１５との通信を切断させた場合には、中央監視装置１５へ再度発呼しないことから、遠隔監視装置１４が誤って異常を検知した場合や、その他の場合に、遠隔監視装置１４を含めた遠隔監視システム１０による空気調和装置異常時の動作を途中で取り消すことができる。このため、遠隔監視装置１４及び遠隔監視システム１０の使い勝手を向上させることができる。
【００６５】
以上、本発明を上記実施の形態に基づいて説明したが、本発明はこれに限定されるものではない。
【００６６】
例えば、本実施の形態では、被監視機器としての空気調和装置１１、１２、１３が複数台ある場合を述べたが、これらの空気調和装置が単数であってもよい。また、本実施の形態では被監視機器が空気調和装置の場合を述べたが、ショーケース等であってもよい。
【００６７】
【発明の効果】
請求項１に記載の発明に係る遠隔監視装置によれば、被監視機器の運転状態を監視し、この被監視機器に異常の発生を検知したときに中央監視装置へ発呼し、この中央監視装置に上記被監視機器の運転情報等の各種情報を収集可能とさせる遠隔監視装置において、上記中央監視装置が、異常時における上記被監視機器の全ての運転情報を読み込んだときに送信する読み込み完了指示信号を受信する前に、この中央監視装置との通信が切断された場合、上記被監視機器の上記異常時における全ての運転情報を保持しつつ、上記中央監視装置へ再度発呼する機能を備えたことから、中央監視装置が、遠隔監視装置に格納された被監視機器の運転情報を、この遠隔監視装置との通信が切断された場合であっても全て収集することができる。
【００６８】
請求項２に記載の発明に係る遠隔監視装置によれば、複数台の被監視機器の運転状態を監視し、これらの被監視機器に異常の発生を検知したときに中央監視装置へ発呼し、この中央監視装置に上記被監視機器の運転情報等の各種情報を収集可能とさせる遠隔監視装置において、上記中央監視装置が、異常を発生した複数台の被監視機器のそれぞれについて、上記異常時における全ての運転情報を読み込んだときにそれぞれ個別に送信する読み込み完了指示信号を全て受信する前に、この中央監視装置との通信が切断された場合、上記異常時における複数台の上記被監視機器の全ての運転情報を保持しつつ、上記中央監視装置へ再度発呼する機能を備えたことから、中央監視装置が、遠隔監視装置に格納された被監視機器の運転情報を、この遠隔監視装置との通信が切断された場合であっても全て収集することができる。
【００６９】
請求項６に記載の発明に係る遠隔監視システムによれば、遠隔監視装置が、被監視機器の運転状態を監視して、この被監視機器に異常の発生を検知したときに中央監視装置へ発呼し、この中央監視装置が、上記被監視機器の運転情報等の各種情報を収集して、この被監視機器を監視し制御する遠隔監視システムにおいて、上記中央監視装置が、異常時における上記被監視機器の全ての運転情報を読み込んだときに送信する読み込み完了指示信号を上記遠隔監視装置が受信する前に、上記中央監視装置と上記遠隔監視装置との通信が切断された場合、上記遠隔監視装置が、上記被監視機器の上記異常時における全ての運転情報を保持しつつ、上記中央監視装置へ再度発呼し、この中央監視装置が、上記被監視機器の上記異常時における全ての運転情報を読み込むよう構成されたことから、中央監視装置が、遠隔監視装置に格納された被監視機器の運転情報を、この遠隔監視装置との通信が切断された場合であっても全て収集することができる。
【００７０】
請求項７に記載の発明に係る遠隔監視システムによれば、遠隔監視装置が、複数台の被監視機器の運転状態を監視して、これらの被監視機器に異常の発生を検知したときに中央監視装置へ発呼し、この中央監視装置が、上記被監視機器の運転情報等の各種情報を収集して、これらの被監視機器を監視し制御する遠隔監視システムにおいて、上記中央監視装置が、異常を発生した複数台の被監視機器のそれぞれについて、上記異常時における全ての運転情報を読み込んだときにそれぞれ個別に送信する読み込み完了指示信号を上記遠隔監視装置が全て受信する前に、上記中央監視装置と上記遠隔監視装置との通信が切断された場合、上記遠隔監視装置が、上記異常時における複数台の上記被監視機器の全ての運転情報を保持しつつ、上記中央監視装置へ再度発呼し、この中央監視装置が、上記被監視機器の上記異常時における全ての運転情報を読み込むよう構成されたことから、中央監視装置が、遠隔監視装置に格納された被監視機器の運転情報を、この遠隔監視装置との通信が切断された場合であっても全て収集することができる。
【図面の簡単な説明】
【図１】本発明に係る遠隔監視システムの一実施の形態を示す系統図である。
【図２】図１の遠隔監視装置を示す構成図である。
【図３】図１の遠隔監視システムにおける運転情報の流れを示す概念図である。
【図４】図１の遠隔監視装置が実行する空気調和装置の異常検出時における動作を示すフローチャートである。
【符号の説明】
１０  遠隔監視システム
１１、１２、１３  空気調和装置（被監視機器）
１４  遠隔監視装置
１５  中央監視装置
１６  通信回線
２４  ホストコンピュータ
２８  揮発性メモリ
３０  ＣＰＵ（中央処理装置）
ａ  運転情報要求信号
ｂ  読み込み完了指示信号
【図１】
0004179744.tif 000002
【図２】
0004179744.tif 000003
【図３】
0004179744.tif 000004
【図４】
0004179744.tif 000005